(57)【要約】【課題】ストローの材料をプラスチック製に変わるものとして、製作上、或いは価格的に課題を多くもっている。自然に優しい木材を使用した有効なストローを製作する。【解決手段】スライス単薄板を木目方向に対して特定角度で巻いた木製の中空パイプの飲料用木製ストローにおいて、０．１〜０．３ｍｍ厚さの木材スライス単薄板を木目方向に対して１０〜３０°の角度で３〜６回斜巻して、管径３〜８ｍｍの木製の中空パイプになって、前記中空パイプの内表面、及び外表面を塗料によって被膜している飲料用木製ストローである。【選択図】図１
2020000849.tif 000002
【特許請求の範囲】
【請求項１】
０．１〜０．３ｍｍ厚さの木材スライス単薄板を木目方向に対して１０〜３０°の角度で丸棒体に沿って３〜６回斜巻して、内管径３〜１０ｍｍの木製の中空パイプになって、前記中空パイプの内表面、及び外表面を塗料によって被膜していることを特徴とする飲料用木製ストロー。
【請求項２】
木材スライス単薄板は、白色から茶色を呈して、木質の特性を持つ木製平板において、比重０．４以上である木材における木目幅０．５〜３０ｍｍの範囲にある木目模様を持ち、前記単薄板の面の粗さ±０．０１ｍｍ以内の平板の鮮明な木目を呈する松材、モミ材、ヒノキ材、スギ材で、前記材の厚さ０．１〜０．３ｍｍに調整された平滑的薄平板を、木目方向１０〜３０°角度で、前記平板の端部に接着剤を塗布して、外管径３〜１０ｍｍの丸棒体に沿って３〜６回に巻いて得られた薄板パイプ付き丸棒体から前記丸棒体を抜き取って、木製中空パイプ状ストローを得て，塗膜処理していることを特徴とする請求項１に記載の飲料用木製ストロー。
【請求項３】
内管径３〜１０ｍｍの木製の中空パイプ状は、長さ１５０〜３００ｍｍであり、幅５０〜７０ｍｍ、長さ１５０〜３００ｍｍの単平板を木目傾斜方向で巻く、前記単平板の端部である接合面に食品安全性の多糖質系、又はウレタン系エマルジョンの接着剤を使用した前記平板片面の接合面の端に塗布して、裏面の無塗布面を３〜１０ｍｍφの丸棒体に捲着した棒状体を得て、前記棒状体を加熱処理した捲着棒状体から前記丸棒体を引き抜き、中空なる木目傾斜側板材面を持つ木製パイプにして、ヤニ、臭い抜きのために前記木製パイプに水蒸気処理を行った後に塗膜被覆を行うことを特徴とする請求項１、又は請求項２に記載の飲料用木製ストロー。
【請求項４】
前記木製パイプは、異形のパイプを接合したり、長さの調節及び方向の変更をさせたり、容器の吸液口に差し込むことができるようになり、又飲料を吸液時にパイプ表面の外面、及び内面に耐湿性と強度を持たせるために中空パイプの外面及び内面全体に特殊塗料によって前記木製ストローの内外表面に厚さ５〜５０ミクロンの塗布膜になっていることを特徴とする請求項１〜請求項３のいずれかに記載の飲料用木製ストロー。
【請求項５】
前記中空パイプの内外表面を特殊塗料によって被膜において、前記中空パイプの内表面、及び外表面を被膜する食品安全である有機質、又は無機質の膜材物質は、漆塗料、ウレタン塗料、シリコンナノシリカーシリケート塗料で選ばれたものであり、前記木製ストローの内外表面に木目が浮き出ているように厚さ５〜５０ミクロンの塗布膜になっていることを特徴とする請求項１〜請求項４のいずれかに記載の飲料用木製ストロー。
【発明の詳細な説明】
【技術分野】
【０００１】この発明は、スライス単薄板を木目方向に対して特定角度で巻いた木製の中空パイプの飲料用木製ストローに関するものである。
【背景技術】
【０００２】飲料に使用する吸飲用のストロ−は、ストロ−原料のプラスチック製の管を、密封容器の深さよりも僅か長めに切断し、その一端側を斜にカットして、密封容器の密封部にストロ−先端が突き刺しやすくし、他端側は単に輪切りにしたものが提供されている。また、密封容器の側面にストロ−を一体的に接着付帯させた密封容器入り飲料が自動販売機用に販売されている。これに用いられているストロ−は、密封容器よりも長いとその突出部分が障害となって自動販売機内にスム−ズには流れにくくなるために、密封容器の側面の長さ以下になるように縮小可能な出没二重管方式のものも普及されている。【０００３】従来、牛乳や清涼飲料などの液体状又は流動体状の飲料は、内面をポリエチレンで被覆した包材から成る包装容器に収容され、販売されている。そして、前記構成の包装容器に収容される飲料には、無果汁か少量の天然果汁を含む果汁フレーバー飲料、１０％以上の天然果汁を含む果汁入り清涼飲料、５０％以上の天然果汁を含む果汁飲料、天然果汁飲料等の各種飲料がある。これらにはプラスチック製ストローが付いており、環境に問題なっている。【０００４】一般にストローは、樹脂製であって、容器から飲料を吸い上げて吸液する場合と、先端の斜設された開膜口から後端の吸飲口に至るストローは、一般に断面真円状に形成され、前記パックの吸出口の内面を構成する封被膜を先端の開膜口より突き刺し、穿断開口して飲料を吸飲する場合に使用される。伸縮又は折曲げを可能にするための加工、価格の点からプラスチック製がほとんどである。【０００５】最近の環境問題から、このプラスチック製のストローの使用が環境の点から難しくなる傾向になった。加工、価格の点からプラスチック以外の材料が検討されているが、両面からは困難を来している。伸縮又は折曲げを可能にするために、ストローの長手方向の中間部に多数の円周方向に溝を設けたストローは記載されている（特許文献１参照）。【０００６】薄膜により保護されたストローホールを有する飲料包装用紙パックにおいて、前記紙パックに一体的に付着されたストロー及び前記ストローの所定位置から突設され、前記ストローホールへの前記ストローの挿入時に前記薄膜を前記ストローの外径よりは大きく破ることにより、前記ストローホールと前記ストローとの間に前記紙パックの内外部を連通するための空気流通用隙間を形成する山形断面の少なくとも１つの突起を含む紙パック用ストローが提案されている（特許文献２参照）。【０００７】液体食品用紙容器に用いられる複数本のストロー管からなる飲料用ストローであって、該液体食品用紙容器が該飲料用ストローを差込むための薄肉部を器壁に有し、ストローが、該薄肉部に差込まれる側のストロー管の先端で鋭角に斜めに切断されて形成される尖った先端槍部と先端基部とを有し、該先端基部の外側角部がアール加工又は／及び面取り加工されている飲料用ストローが提案されている（特許文献３参照）。【０００８】内ストローと外ストローとからなり、内ストローを外ストロー内に納めてあり、この内ストローを外ストローから引き出して伸長する飲料用ストローであって、外ストローの長さを内ストローの長さの概略２倍程とし、外ストローの中間部位置に蛇腹部を設け、外ストローの飲み口近傍部位置に同じく蛇腹部を設けてある飲料用ニ重ストローが提案されている（特許文献４参照）。【０００９】加工が簡単であるとともに、外周面に天然素材の立体的なデザイン変化を醸しだすことができる円筒容器を提供するにおいて、有底円筒状の主筒と、その主筒の開口を開閉する蓋筒とより構成するもので、主筒及び蓋筒は、木製の薄板を軸線に対して傾斜するように巻回して構成して、薄板の端縁により、主筒及び蓋筒の外周面に段差状の装飾部を形成する。この装飾部では、軸線に対して傾斜する方向へ延びるように形成する円筒容器が提案されている（特許文献５参照）。【００１０】プラスチック製ストローに代替でき、環境保護、可分解性、使用上の利便性と高品質という利点を備えた紙製ストローを提供するにおいて、炭酸カルシウム成分を含むストリップ状の紙片より成る基材が、側縁部を重ねて斜め方向に巻回され、両端が連通した螺旋管体を形成し、基材の相隣して重なる部分が相互に密接されている飲料用紙製ストローが提案されている（特許文献６参照）。【００１１】上記のように飲料用ストローは、通常プラスッチク製であって、利便性の改良であり、また用途面での工夫である。一方環境の面からプラスッチク製以外に他の材料のストローとしては紙製が存在しているが、単なる紙でなく樹脂、及び無機質を含ませて巻いており、製作面でも操作で煩雑である。とくに全世界的にプラスチック製のストローは禁止になる傾向であり、そのためにプラチックストローの使用が難しくなっている。プラスチックに変わるものとして、自然に優しい木材、紙製品が期待するが、製作上、技術上或いは価格的、デザイン的には課題を多くもっている。
【先行技術文献】
【特許文献】
【００１２】
【特許文献１】特公昭５１−３３４７７号公報
【特許文献２】実用新案登録第３０７０８７６号公報
【特許文献３】特開２００６−１４１５７５号公報
【特許文献４】特開２００９−１６０２５１号公報
【特許文献５】特開２０１０−５９６２号公報
【特許文献６】実用新案登録第３２１６６６３号公報
【発明の概要】
【発明が解決しようとする課題】
【００１３】本発明はかかる実情に鑑みてなされたもので、ストロ−原料のプラスチック製のパイプ管に置き換えて、環境に優れた材料である、木材、紙であるパイプを使用することを試みて、吸飲するに際して、ストローとして飲料の不意の放出を防止し、容易且つ静かに安全に吸飲できるプラスチック製以外の材料でできているストロ−の可能性を試みている。【００１５】現在使用されている紙パック用等のストローはすべてプラスチック製である。このプラスチック製ストローは他の生物に悪影響を与えて、環境の面から使用禁止になる方向である。今までのストローは、プラスチック製で、種々の形状を安価に製造できることから、他の材料から全く検討はされていなかった。とくに欧州などではプラスチック製のストローは禁止になり、使用が難しくなっている。ストローをプラスチック製に変わるものとして、自然に優しい木材、紙製品が期待されているが、製作上、或いは価格的に課題を多くもっている。自然に優しい木材を使用した有効なストローをプラクチック製品の様相と同様に木製のストローを製作することを目的にしている。
【課題を解決するための手段】
【００１６】０．１〜０．３ｍｍ厚さの木材スライス単薄板を木目方向に対して１０〜３０°の角度で丸棒体に沿って３〜６回斜巻して、内管径３〜１０ｍｍの木製の中空パイプになって、前記中空パイプの内表面、及び外表面を被膜している飲料用木製ストローである。【００１７】木材スライス単薄板は、白色から茶色を呈して、木質の特性を持つ木製平板において、比重０．４以上である木材における木目幅０．５〜３０ｍｍの範囲にある木目模様を持ち、前記単薄板の面の粗さ±０．０１ｍｍ以内の平板の鮮明な木目を呈する松材、モミ材、ヒノキ材、スギ材で、前記材の厚さ０．１〜０．３ｍｍに調整された平滑的薄平板を、木目方向１０〜３０°角度で、前記平板の端部に接着剤を塗布して、外管径３〜１０ｍｍの丸棒体に沿って３〜６回に巻いて得られた薄板パイプ付き丸棒体から前記丸棒体を抜き取って、木製中空パイプ状ストローを得ている。【００１８】内管径３〜１０ｍｍの木製の中空パイプ状は、長さ１５０〜３００ｍｍであり、幅５０〜７０ｍｍ、長さ１５０〜３００ｍｍの単平板を木目傾斜方向で巻く、前記単平板の端部である接合面に食品安全性の多糖質系、又はウレタン系エマルジョンの接着剤を使用した前記平板片面の接合面の端に塗布して、裏面の無塗布面を３〜１０ｍｍφの丸棒体に捲着した棒状体を得て、前記棒状体を加熱処理した捲着棒状体から前記丸棒体を引き抜き、中空なる木目傾斜側板材面を持つ木製パイプにして、ヤニ、臭い抜きのために前記木製パイプに水蒸気処理を行っている。【００１９】前記木製パイプは、異形のパイプを接合したり、長さの調節及び方向の変更をさせたり、容器の吸液口に差し込むことができるようになり、又飲料を吸液時にパイプ表面の外面、及び内面に耐湿性と強度を持たせるために中空パイプの外面及び内面全体に特殊塗料によって前記木製ストローの内外表面に厚さ５〜５０ミクロンの塗布膜になっている。前記木製パイプは、内径１ｍｍ異形のパイプを接合して、長さの調節、及び方向で変更をさせること、及び先端部を斜めにカットして、紙製吸液口に差し込むこともでき、又飲料を吸液時に外面の吸湿性を持たせないようにパイプの外面，内面の全体に疎水性を示す塗料を塗布・塗膜を形成する。【００２０】前記中空パイプの内表面、及び外表面を被膜する有機質、又は無機質の食品安全である膜材物質は、漆塗料、ウレタン塗料、シリコンナノシリカーシリケート塗料で選ばれたものであり、漆塗料は、ウルシ科のウルシノキやブラックツリーから採取した樹液を加工した、ウルシオールを主成分とする天然樹脂の塗料であり、ウレタン塗料は、主剤として複数の水酸基を持つポリオール成分と硬化剤としてのポリイソシアネートを組み合わせた塗料であり、シリコン塗料は、ナノシリカとケイ素を核としたシロキサン結合を持つ無機化合物とビヒクルとの塗料であり、前記木製ストロー、及び前記木製ケースの内外表面に木目が浮き出ているように厚さ５〜５０ミクロンの塗布膜になっている。【００２１】０．１〜０．３ｍｍ厚さの木材スライス単薄板を使用して、内管径３〜１０ｍｍの木製の中空パイプの製造において、中心部に型枠丸棒を配置できるようになった二本の回転用丸棒軸体と上部に押え用丸棒軸体とからなる中���成形部とからなっている装置で、前記木材スライス単薄平板を丸棒の型枠を設置した三本の前記丸棒軸体のうち二本の回転丸棒軸体に、木目方向に対して適切な角度で挟入させて、前記木材スライス単薄平板の端部に接着剤を塗布して、中心部に位置する型枠丸棒に沿って、数回斜巻できるようにしている。
前記装置では、平板盤上に駆動体のモーターと、回転調整させる二連結ギアー軸体と、前記二連結ギアー軸体に連動させて中心部に型枠丸棒を配置できるようになった二本の回転用丸棒軸体と上部に押え用丸棒軸体とからなる中空成形部と、前記回転丸棒軸体の両端を固着させる軸固定枠体とからなっている装置で、前記木材スライス単薄平板を丸棒の型枠を設置した三本の丸棒軸体のうち二本の回転丸棒軸体に、木目方向に対して１０〜３０°の角度で挟入させている。
【発明の効果】
【００２２】０．１〜０．３ｍｍ厚さの木材スライス単薄板を木目方向に対して１０〜３０°の角度で３〜６回巻いて、管径３〜１０ｍｍの木製の中空パイプにしている飲料用木製ストローは、デザイン的、機能的、環境面で、使用されているプラスチック製のストローに置き換わる。とくに食用容器として広く使用されて、プラスチック製ストローに比べて環境的にも、自然感的にも優れている。【００２３】木製のストローは、プラスチック製と比べて、強度的にも十分で、亀裂とかヒズミなどが存在しない強靭であり、耐久性も持っている。また加工性は用途に応じて可能であり、塗料による塗膜によって殺菌性、抗菌性などを持っており、衛生的である。また廃棄しても自然にかえるために地球環境的には非常に優れている。
【図面の簡単な説明】
【００２４】
【図１】飲料用木製ストローの斜視図。
【図２】飲料用木製ストローの製作における製作工程に関する図
【図３】飲料用木製ストローの製作における薄板巻き状態の拡大図。Ａ：丸棒に巻く前  Ｂ：巻く状態  Ｃ：捲着棒状体
【図４】飲料用木製ストローの使用状態を示した斜視図
【図５】飲料用木製ストローの製作機の概要を示した図
【図６】飲料用木製ストローの漆塗装の断面部の顕微鏡写真図  ４００倍写真
【図７】飲料用木製ストローのウレタン塗装の断面部の顕微鏡写真図  １００倍写真
【発明を実施するための形態】
【００２５】以下に、この発明の一実施形態を、図面に基づいて説明する。
プラスチック製ストローに代わるものとして、自然に優しい木材の材料を目指して、製作上、或いは価格的に検討を加えて、自然感を持っている木材を使用した有効なストローを製作する方法について示す。
【実施例１】
【００２６】図１に示すように０．２ｍｍ厚さの木材スライス単薄板を木目方向に対して１５°の角度で４回巻いて、内管径５ｍｍの木製の中空パイプにしている飲料用木製ストローにした。【００２７】図３に示すように木材スライス単薄板は、Ａでの白色から茶色を呈した、木質に特殊な香りを持つ木製平板に装飾された平板材において、比重０．４以上である杉木材の木目幅０．５〜３０ｍｍの範囲にある木目模様を持ち、前記単薄板の面の粗さ±０．１ｍｍ以内の平板を幅５０ｍｍ、長さ２５０ｍｍの形状にして、鮮明な木目を呈するに針葉樹林であるスギ材で、前記材の厚さ０．２ｍｍに調整された平滑的薄平板を、Ｂでの木目方向１５°角度で、接着剤を平板の端部に塗布しながら４回に亘り５ｍｍφ若干小さ目の丸棒に巻いて得られた木目傾斜面を持つＣの捲着棒状体にして木製中空パイプ状にした。【００２８】図２に示すように管径５ｍｍの木製の中空パイプ状は、長さ２５０ｍｍであり、木目傾斜的巻く、前記単平板の接合面に食品安全性のウレタン塗料系の接着剤を使用した前記平板片面の接合面に塗布して、無塗布面を５ｍｍφの丸棒に巻き付けた接合棒状体を得て、前記棒状体を加熱処理した捲着棒状体から前記丸棒体を引き抜き、中空なる木目傾斜側板材面を持つパイプ状にした。
前記木製ストローの内表面、及び外表面を被膜する有機質の膜材物質は、漆塗料であり、前記木製ストローの内外表面に木目が若干浮き出ているような厚さ約１０ミクロンの塗布膜になった。図６に断面の顕微鏡写真に示すが、平均的に表面のみ１０ミクロン程度被膜されていた。【００２９】前記のように製作された木製のストローは、図４に示すようにプラスチック製に比べて、亀裂とかヒズミなどが存在しない強靭なであり、耐久性も持った。また殺菌性、抗菌性などを持っており、衛生的である。また廃棄しても自然にかえるために地球環境的には非常に優れている商品であった。
このストローの表面を塗料で処理した一本重量は１．２ｇであったが、水に３０分間浸漬したところ、重量を測定したところ、２％程度しか重量の増加はなかった。ストローの食品安全性試験を行ったところ、安全性には問題なかった。
【実施例２】
【００３０】図１に示すように０．２ｍｍ厚さの木材スライス単薄板を木目方向に対して１０°の角度で３回巻いて、管径４ｍｍの木製の中空パイプにしている飲料用木製ストローにした。【００３１】図３に示すように木材スライス単薄板は、Ａでの白色を呈した、木質に特殊な香りを持つ木製平板に装飾された平板材において、比重０．５程度である木材の木目幅１〜３０ｍｍの範囲にある木目模様を持ち、前記単薄板の面の粗さ±０．１ｍｍ以内の平板を幅４０ｍｍ、長さ２００ｍｍの形状にして、鮮明な木目を呈するに針葉樹林であるヒノキ材で、前記材の厚さ０．１ｍｍに調整された平滑的薄平板を、Ｂでの木目方向１０°角度で、接着剤を平板の端部に塗布しながら３回に亘り４ｍｍφ若干小さ目の丸棒に巻いて得られた木目傾斜面を持つＣの捲着棒状体にして木製中空パイプ状にした。
前記木製ストローの内表面、及び外表面を被膜するウレタン系塗料であり、前記木製ストローの内外表面に木目が若干浮き出ているような厚さは、図３に示すように薄く３０ミクロン程度の塗布膜になった。図７に断面の顕微鏡写真に示すが、導管内部に浸透して全体的に薄く３０ミクロンになっていた。【００３２】図２に示すように管径４ｍｍの木製の中空パイプ状は、長さ２００ｍｍであり、木目傾斜的巻く、前記単平板の接合面に食品安全性のウレタン系の接着剤を使用した前記平板片面の接合面に塗布して、無塗布面を４ｍｍφの丸棒に巻き付けた接合棒状体を得て、前記棒状体を加熱処理した捲着棒状体から前記丸棒体を引き抜き、中空なる木目傾斜側板材面を持つパイプ状にした。前記のように製作された木製のストローは、図４に示すようにプラスチック製に比べて、亀裂とかヒズミなどが存在しない強靭なであり、耐久性も持った。また殺菌性、抗菌性などを持っており、衛生的である。また廃棄しても自然にかえるために地球環境的には非常に優れている商品であった。
【実施例３】
【００３３】実施例１と同様に０．１ｍｍ厚さの木材スライス単薄板を木目方向に対して２０°の角度で５回巻いて、管径６ｍｍの木製の中空パイプにしている飲料用木製ストローにした。【００３４】木材スライス単薄板は、白色呈して、木質に特殊な香りを持つ木製平板に装飾された平板材において、比重０．４以上である木材の木目幅１〜２０ｍｍの範囲にある木目模様を持ち、前記単薄板の面の粗さ±０．１ｍｍ以内の平板を幅５０ｍｍ、長さ３００ｍｍの形状にして、鮮明な木目を呈するに針葉樹林である松材で、前記材の厚さ０．１ｍｍに調整された平滑的薄平板を、木目方向２０°角度で、接着剤を塗布しながら５回に亘り６ｍｍφの丸棒に巻いて得られた木目傾斜面を持つ木製中空パイプ状にした。【００３５】図２，３に示すように管径６ｍｍの木製の中空パイプ状は、長さ３００ｍｍであり、木目傾斜的巻く、前記単平板の接合面に食品安全性のウレタン系エマルジョンの接着剤を使用した前記平板片面の接合面に塗布して、無塗布面を６ｍｍφの丸棒に巻き付けて接合棒状体を得て、前記棒状体を加熱処理した積層棒状体から前記丸棒体を引き抜き、中空なる木目傾斜側板材面を持つパイプ状にした。また殺菌性、抗菌性などを持っており、衛生的である。また廃棄しても自然にかえるために地球環境的には非常に優れている商品であった。
【実施例４】
【００３６】０．１５ｍｍ厚さの木材スライス単薄板を木目方向に対して１０°の角度で４回巻いて、管径７ｍｍの木製の中空パイプにしている飲料用木製ストローであった。木材スライス単薄板は、白色から茶色を呈して、木質に特殊な香りを持つ木製平板に装飾された平板材において、比重０．４以上である木材の木目幅１〜３０ｍｍの範囲にある木目模様を持ち、前記単薄板の面の粗さ±０．０１ｍｍ以内の平板を幅５０ｍｍ、長さ２５０ｍｍの形状にして、鮮明な木目を呈するに針葉樹林であるモミ材で、前記材の厚さ０．１５ｍｍに調整された平滑的薄平板を、木目方向１０°角度で、接着剤を塗布しながら４回に亘り７ｍｍφの丸棒体に巻いて得られた木目傾斜面を持つ木製中空パイプ状になった。【００３７】管径７ｍｍの木製の中空パイプ状は、長さ２５０ｍｍであり、木目傾斜的巻く、前記単平板の接合面に食品安全性の多糖質系の接着剤を使用した前記平板片面の接合面に塗布して、無塗布面を７ｍｍφの丸棒に巻き付けて接合棒状体を得て、前記棒状体を加熱処理した積層棒状体から前記丸棒を引き抜き、中空なる木目傾斜側板材面を持つパイプ状になった。前記のように製作された木製のストローは、図４に示すようにプラスチック製に比べて、亀裂とかヒズミなどが存在しない強靭なであり、耐久性も持った。また殺菌性、抗菌性などを持っており、衛生的であった。
【実施例５】
【００３８】木材スライス単薄板は、白色から茶色を呈して、木質に特殊な香りを持つ木製平板に装飾された平板材において、木材の木目幅１〜３０ｍｍの範囲にある木目模様を持つ平板を幅５０ｍｍ、長さ２５０ｍｍの形状にして、鮮明な木目を呈するにモミ材で、前記材の厚さ０．１５ｍｍに調整された平滑的薄平板を、木目方向１０°角度で、接着剤を塗布しながら３回に亘り７ｍｍφの丸棒体に巻いて得られた木目傾斜面を持つ木製中空パイプ状にした。【００３９】上記の木製中空パイプ状は、０．３ｍｍ厚さの木材スライス単薄板を使用して、管径７ｍｍの木製の中空パイプの製造において、図５に示すように、平板盤上に駆動体のモーターと、回転調整させる二連結ギアー軸体と、前記二連結ギアー軸体に連動させて中心部に型枠丸棒を配置できるようになった二本の回転用丸棒軸体と上部に押え用丸棒軸体とからなる中空成形部と、前記回転丸棒軸体の両端を固着させる軸固定枠体とからなっている装置で、前記木材スライス単薄平板を丸棒の型枠を設置した三本の丸棒軸体のうち二本の回転丸棒軸体に、木目方向に対して１０°の角度で挟入させて、前記木材スライス単薄平板の端部に接着剤を塗布して、中心部に位置する丸棒体に沿って、３回斜巻させて、得られた。このストローにウレタン系の塗料を塗布した。【００４０】前記のように製作された木製のストローは、図４に示すようにプラスチック製に比べて、亀裂とかヒズミなどが存在しない強靭なであり、耐久性も持った。また殺菌性、抗菌性などを持っており、衛生的である。また廃棄しても自然にかえるために地球環境的には非常に優れている商品が得られた。
この装置によるストローの表面を塗料で処理した重量は１．３ｇであったが、水に浸漬したところ、３０分放置後、重量を測定したところ、２０％程度しか重量の増加はなかった。ストローの食品安全性試験を行ったところ、安全性には問題なかった。
【符号の説明】
【００４１】１  木製ストロー、
２  スライス単薄板、
３  丸棒体、
４  捲着棒状体
５  木目、
６  表面木目斜傾
７  巻き目
８  接着剤、
９  コップ
１０  中空パイプ
１１  中空パイプ成型機
１２  モーター
１３  連結ギアー軸体
１４  型枠丸棒
１５  回転用丸棒軸体
１６  軸固定枠部
１７  塗膜層
１８  木質層
【図１】
2020000849.tif 000003
【図２】
2020000849.tif 000004
【図３】
2020000849.tif 000005
【図４】
2020000849.tif 000006
【図５】
2020000849.tif 000007
【図６】
2020000849.tif 000008
【図７】
2020000849.tif 000009